(57)【要約】【課題】ユーザが視聴等を希望した放送番組に類似する番組等の映像情報の取得を可能ならしめる映像表示装置を提供する。【解決手段】映像表示装置が、放送番組を識別する番組識別情報と、前記番組識別情報で表される放送番組と類似する番組のアドレスと、が対応して記録されている放送番組テーブルを参照して、視聴を希望する放送番組と類似する番組の情報を取得する情報取得部を備える。このため、希望する放送番組の視聴が行えない場合に、その番組と類似する番組のアドレスを取得して、その映像情報を取得し、表示できる。【選択図】      図１
2004350099.tif 000002
【特許請求の範囲】
【請求項１】
映像情報を表示部に表示させる映像表示装置であって、
放送番組を選択するチューナから映像情報を受信する映像情報受信部と、
視聴を希望する放送番組を表す視聴希望情報を入力する入力部と、
前記入力部で入力された視聴希望情報で表される放送番組の視聴希望が叶えられない場合に、放送番組を識別する番組識別情報と、前記番組識別情報で表される放送番組と類似する番組のアドレスと、が対応して記録されている放送番組テーブルを参照して、前記視聴希望情報で表される放送番組と類似する番組の情報を取得する情報取得部と、
前記情報取得部で取得した情報に基づき、前記視聴希望番組と類似する番組の映像情報を取得する類似番組映像情報取得部と、
を具備することを特徴とする映像表示装置。
【請求項２】
映像情報を表示部に表示させあるいは録画部に録画させる映像表示装置であって、
録画予約を希望する放送番組を表す録画予約希望情報を入力する入力部と、
前記入力された録画予約希望情報で表される放送番組の録画予約希望が叶えられない場合に、放送番組を識別する番組識別情報と、前記番組識別情報で表される放送番組の再放送時間と、が対応して記録されている放送番組テーブルを参照して、前記録画予約希望情報で表される放送番組の再放送時間の情報を取得する再放送時間取得部と、
前記再放送時間取得部で取得した再放送時間の情報に基づき、前記チューナから映像情報を受信する映像情報受信部と、
を具備することを特徴とする映像表示装置。
【請求項３】
前記情報取得部が取得する情報が、インターネット上のアドレスの情報であることを特徴とする請求項１又は２項に記載の映像表示装置。
【発明の詳細な説明】
【０００１】
【発明の属する技術分野】
本発明は、放送番組の映像を表示する映像表示装置に関する。
【０００２】
【従来の技術】
１つの建物（例えば、ビル、家屋）において複数の映像表示装置を利用して放送番組を視聴するような場合に、チューナ等のコンポーネントを複数の映像表示装置で共有することが考えられる。例えば、チューナが高価だったり、外部との接続の関係からチューナの個数が限定されたりする場合に、設備の有効利用を図ることができる。
なお、映像表示装置に関連して、同一または類似するカテゴリーの番組をまとめて予約できるようにする技術が開示されている（特許文献１参照）。
【０００３】
【特許文献１】
特開２００２−１０１５０号公報
【０００４】
【発明が解決しようとする課題】
しかしながら、複数の映像表示装置がチューナを共有する場合には、ある映像表示装置が所望の番組を視聴しようとしたときに、チューナの使用権が他の映像表示装置で取得されていることがあり得る。この場合には、その映像表示装置はチューナを使用できず、所望の放送番組を視聴することができない。
本発明はこのような課題を解決するためになされたもので、ユーザが視聴等を希望した放送番組に類似する番組等の映像情報の取得を可能ならしめる映像表示装置を提供することを目的としている。
【０００５】
【課題を解決するための手段】
（１）上記目的を達成するために本発明に係る映像表示装置は、映像情報を表示部に表示させる映像表示装置であって、放送番組を選択するチューナから映像情報を受信する映像情報受信部と、視聴を希望する放送番組を表す視聴希望情報を入力する入力部と、前記入力された視聴希望情報で表される放送番組の視聴希望が叶えられない場合に、放送番組を識別する番組識別情報と、前記番組識別情報で表される放送番組と類似する番組のアドレスと、が対応して記録されている放送番組テーブルを参照して、前記視聴希望情報で表される放送番組と類似する番組の情報を取得する情報取得部と、前記情報取得部で取得した情報に基づき、前記視聴希望番組と類似する番組の映像情報を取得する類似番組映像情報取得部と、を具備することを特徴とする。
【０００６】
映像表示装置が、放送番組を識別する番組識別情報と、前記番組識別情報で表される放送番組と類似する番組のアドレスと、が対応して記録されている放送番組テーブルを参照して、視聴を希望する放送番組と類似する番組の情報を取得する情報取得部を備える。このため、希望する放送番組の視聴が行えない場合に、その番組と類似する番組のアドレス情報を取得して、その映像情報を取得、表示することができる。
【０００７】
（２）本発明に係る映像表示装置は、映像情報を表示部に表示させあるいは録画部に録画させる映像表示装置であって、録画予約を希望する放送番組を表す録画予約希望情報を入力する入力部と、前記入力された録画予約希望情報で表される放送番組の録画予約希望が叶えられない場合に、放送番組を識別する番組識別情報と、前記番組識別情報で表される放送番組の再放送時間と、が対応して記録されている放送番組テーブルを参照して、前記録画予約希望情報で表される放送番組の再放送時間の情報を取得する再放送時間取得部と、前記再放送時間取得部で取得した再放送時間の情報に基づき、前記チューナから映像情報を受信する映像情報受信部と、を具備することを特徴とする。
【０００８】
映像表示装置が、放送番組を識別する番組識別情報と、前記番組識別情報で表される放送番組の再放送時間と、が対応して記録されている放送番組テーブルを参照して、視聴を希望する放送番組の再放送時間の情報を取得する再放送時間取得部を備える。このため、希望する放送番組の録画予約が行えない場合に、その番組の再放送時間の情報を取得して、その再放送を録画することができる。
【０００９】
【発明の実施の形態】
（第１の実施形態）
以下、本発明の第１の実施形態を図面を参照して詳細に説明する。
図１は、本発明の第１の実施形態に係る映像表示システム１を表すブロック図である。
映像表示システム１は、映像表示装置１０（１０ａ，１０ｂ）、チューナ２０、インターネット接続装置３０から構成される。本図の例では映像表示装置１０は２つであるが、３つ以上の映像表示装置１０が含まれても差し支えない。
【００１０】
本実施形態では、映像表示装置１０ａ，１０ｂのいずれかがチューナ２０を用いて放送番組を視聴しようとした場合に他方の映像表示装置１０ａ，１０ｂが利用中等の理由でチューナ２０が利用できないことがある。この場合に、映像表示装置１０ａ，１０ｂは、後述する類似番組検索テーブルＴ０を参照することで、インターネット接続装置３０を用いて類似番組を自動的にダウンロード、視聴できる。
【００１１】
映像表示装置１０ａ，１０ｂはそれぞれ、テレビ放送の番組とインターネットのコンテンツの双方を視聴可能な装置であり、チューナインタフェース（Ｉ／Ｆ）１０１ａ，１０１ｂ，ネットワークインタフェース（Ｉ／Ｆ）１０２ａ，１０２ｂ，サウスブリッジ１０３ａ，１０３ｂ，ハードディスク（ＨＤＤ：  Ｈａｒｄ  Ｄｉｓｋ  Ｄｒｉｖｅ）１０４ａ，１０４ｂ，入力部１０５ａ，１０５ｂ，ノースブリッジ１０６ａ，１０６ｂ，中央演算装置（ＭＰＵ：Ｍｉｃｒｏ  Ｐｒｏｃｅｓｓｉｎｇ  Ｕｎｉｔ）１０７ａ，１０７ｂ，メモリ（ＲＡＭ：Ｒａｎｄｏｍ  Ａｃｃｅｓｓ  Ｍｅｍｏｒｙ）１０８ａ，１０８ｂ，ＶＧＡ（Ｖｉｄｅｏ  Ｇｒａｐｈｉｃｓ  Ａｒｒａｙ）インタフェース（Ｉ／Ｆ）１０９ａ，１０９ｂ，表示装置１１０ａ，１１０ｂを有する。
【００１２】
チューナインタフェース１０１ａ，１０１ｂは，チューナ２０から送信された映像情報の受信およびチューナ２０との制御信号の送受信を行うインタフェースであり、映像情報を受信する映像情報受信部、視聴希望情報を送信する視聴希望情報送信部、および視聴不能情報を受信する視聴不能情報受信部として機能する。
ネットワークインタフェース１０２ａ，１０２ｂは，インターネット接続装置３０を介してインターネットとの情報の送受信を行うインタフェースであり、視聴希望番組と類似する番組の映像情報を取得する類似番組映像情報取得部として機能する。
サウスブリッジ１０３ａ，１０３ｂは，各種のＩ／Ｏコントローラを統合した機能を有する素子から構成される。
ハードディスク１０４ａ，１０４ｂは，外部記憶装置の一種であり、中央演算装置１０７を動作させるためのプログラムおよび後述する類似番組検索テーブルが記憶されている。
入力部１０５ａ，１０５ｂは、例えば、キーボード、マウス、リモコン等の入力機器であり、視聴を希望する放送番組を表す視聴希望情報を入力することができる。
【００１３】
ノースブリッジ１０６ａ，１０６ｂは，中央演算装置１０７ａ，１０７ｂ、メモリ１０８ａ，１０８ｂ，ＶＧＡインタフェース１０９ａ，１０９ｂを相互に接続して、データの橋渡しを担う素子であり、サウスブリッジ１０３ａ，１０３ｂとバスで接続されている。
中央演算装置１０７ａ，１０７ｂは，逐次制御と算術，論理演算を行なう。中央演算装置１０７ａ，１０７ｂはこれを動作するためのプログラムと組み合わされることで、視聴希望情報で表される放送番組と類似する番組のアドレス情報を取得する情報取得部（アドレス取得部）として機能する。
メモリ１０８ａ，１０８ｂは，中央演算装置１０７ａ，１０７ｂの主記憶装置である。
ＶＧＡインタフェース１０９ａ，１０９ｂは，表示装置１１０ａ，１１０ｂに画像情報を出力するインタフェースである。
表示装置１１０ａ，１１０ｂは、例えばＣＲＴ，ＬＣＤ等の画像表示機器であり、表示部として機能する。
【００１４】
チューナ２０は、無線または有線（ＣＡＴＶ等）のテレビ放送の番組を選択し、選択した番組の映像情報を映像表示装置１０ａ，１０ｂに送信するものであり、視聴希望情報受信部２１，視聴希望調停部２２，調停結果送信部２３，映像情報送信部２４を有する。
【００１５】
視聴希望情報受信部２１は，映像表示装置１０ａ，１０ｂから制御信号として送信された視聴希望情報を制御信号として受信する。
視聴希望調停部２２は，視聴希望情報受信部２１が映像表示装置１０ａ，１０ｂから異なる番組の視聴を希望する旨の視聴希望情報を受信したときに映像表示装置１０ａ，１０ｂのいずれに使用権を与えるかの調停を行う。
調停結果送信部２３は，視聴希望調停部２２の調停結果を映像表示装置１０ａ，１０ｂへと制御信号として送信する。映像表示装置１０ａ，１０ｂは、調停結果送信部２３から送信された制御信号によって自己が使用権を確保できたか否かを知ることができる。
映像情報送信部２４は、視聴希望情報受信部２１によって受信された視聴希望情報に基づき（視聴希望が競合したときは、視聴希望調停部２２の調停結果をも考慮）、視聴を希望する放送番組の映像情報を映像表示装置１０ａ，１０ｂへと送信する。
【００１６】
インターネット接続装置３０は、インターネットに接続するための例えばサーバやモデムである。
【００１７】
図２はハードディスク１０４ａ，１０４ｂに記憶された類似番組検索テーブルＴ０の一例を表す模式図である。類似番組検索テーブルＴ０は、放送予定テーブルＴ１、番組詳細テーブルＴ２、Ｔ３の組み合わせから成り立っており、放送番組を識別する番組識別情報と、この放送番組と類似する番組のインターネット上のアドレスと、が対応して記録されている放送番組テーブルとして機能する。
なお、類似番組検索テーブルＴ０はハードディスク１０４ａ，１０４ｂに記憶されることなく、インターネット上に存在していても差し支えない。
【００１８】
放送予定テーブルＴ１には、「放送局」（例えば、「Ａ局」）および「放送時間」（例えば、「２１：００〜２２：００」）と対応して、放送される番組（例えば、「ワールドニュース」）が表され、現在の時刻と選択された放送局によりユーザーが希望する番組を判別することができる。
番組詳細テーブルＴ２は、個々の番組（例えば、「２２時のニュース」）の詳細情報を参照することができる。具体的には、個々の番組に対応するインターネットコンテンツのＩＰアドレス（ＵＲＬ、例えば、「ＷＷＷ．Ｂ−ＴＶ．ＣＯＭ／２２−ＮＥＷＳ」）、「放送時間」（例えば、「２２：００−２３：００」）、「出演者」（例えば、「あい  うえお」）、「類似番組」（類似番組の名称、例えば、「２１時のニュース」）、「再放送時間」が表されている。なお、「２２時のニュース」では、同一番組の再放送が予定されていないので、再放送の予定が無いことを表す情報「−」が「再放送時間」に記録されている。
【００１９】
番組詳細テーブルＴ３は、番組詳細テーブルＴ２に表された「類似番組」の項目とリンクし、その類似番組（例えば、「２１時のニュース」）の詳細情報を参照することができる。番組詳細テーブルＴ３の構成は実質的に番組詳細テーブルＴ２と同様であるので説明を省略する。
なお、番組詳細テーブルＴ３の「類似番組」の項目とさらにリンクする番組詳細テーブルＴ４があっても差し支えない。
【００２０】
（映像表示システム１の動作）
映像表示システム１では、映像表示装置１０が番組の視聴を希望する時にチューナ２０を使用できない場合に、システム内（もしくはインターネット上）の類似番組検索テーブルＴ０が参照される。そして、インターネット上から類似番組のコンテンツが自動的にダウンロードされ、映像表示装置１０で表示される。
【００２１】
図３は、映像表示システム１の動作手順の詳細を表すフロー図である。以下、図３に基づき映像表示システム１の動作手順を説明する。
（１）映像表示装置１０ａ，１０ｂにそれぞれのユーザを視聴を希望する番組を識別する視聴希望情報が入力される（ステップＳ１１）。この入力は、入力部１０５ａ，１０５ｂにより、それぞれの映像表示装置１０ａ，１０ｂで独立して行われる。
【００２２】
（２）入力部１０５それぞれで入力された視聴希望情報がチューナインタフェース１０１ａ，１０１ｂから送信され、チューナ２０の視聴希望情報受信部２１で受信される（ステップＳ１２）。この送信も、それぞれのチューナインタフェース１０１ａ，１０１ｂで独立に行われる。
【００２３】
（３）映像表示装置１０からの視聴希望が競合しているか否かが判断される（ステップＳ１３）。
この判断は次のようにして行われる。
【００２４】
１）一方の映像表示装置１０ａ，１０ｂからの視聴希望情報が受信されたときに、他方の映像表示装置１０ａ，１０ｂが放送番組の視聴を行っていないか、あるいは受信した視聴希望情報で表される放送番組を視聴しているときには、視聴希望に競合がないと判断される。これは、映像表示装置１０ａ，１０ｂそれぞれから同一の放送番組の視聴を希望する視聴希望情報をほぼ同時刻に受信した場合も同様である。
【００２５】
２）一方の映像表示装置１０ａ，１０ｂからの視聴希望情報が受信されたときに、受信した視聴希望情報で表される放送番組と異なる放送番組を視聴しているときには、視聴希望に競合があると判断される。これは、映像表示装置１０ａ，１０ｂそれぞれから異なる放送番組の視聴を希望する視聴希望情報をほぼ同時刻に受信した場合も同様である。
即ち、チューナ２０は映像表示装置１０ａ，１０ｂに共有されていることから、この双方が同一の番組を視聴するときには同時に使用されるが、これらが互いに異なる番組を視聴することはできない。
【００２６】
（４）ステップＳ１３で視聴希望に競合がないと判断された場合には、チューナ２０の映像情報送信部２４からの視聴希望情報で表される番組の映像情報が送信され、映像表示装置１０ａ，１０ｂのチューナインタフェース１０１ａ，１０１ｂで受信される（ステップＳ１４）。この映像情報は中央演算装置１０７ａ，１０７ｂで必要に応じてデコードされた後に、ＶＧＡインタフェース１０９ａ，１０９ｂを経由し表示装置１１０ａ，１１０ｂで表示される。
【００２７】
（５）ステップＳ１３で視聴希望に競合があると判断された場合には、視聴希望調停部２２が視聴希望の調停を行う（ステップＳ１５）。
調停には次のように種々の手法があり得る。
【００２８】
１）先着順方式：  先に受信された視聴希望情報を送信した側の映像表示装置１０ａ，１０ｂからの希望に従って映像情報を送信する放送番組を決定する。
【００２９】
２）優先順位順方式：  映像表示装置１０ａ，１０ｂそれぞれの優先順位を設定しておき、優先順位の高い方の映像表示装置１０ａ，１０ｂからの希望に従って映像情報を送信する放送番組を決定する。この順位は、例えば、チューナ２０に記憶させておけば良い。
【００３０】
３）同意方式：  一方の映像表示装置１０ａ，１０ｂに「視聴希望に競合があること、および他方の映像表示装置１０ａ，１０ｂの視聴希望番組への変更に同意可能か否かを知らせるよう」に通知し、それに対する返信内容に応じて映像情報を送信する放送番組を決定する。即ち、この一方の映像表示装置１０ａ，１０ｂから同意する旨の情報が送信されて来たときには、同意された放送局の放送番組を送信し、同意がなかったときには他の基準（例えば、先着順方式、優先順位順方式）によって送信する放送番組を決定する。
なお、双方の映像表示装置１０ａ，１０ｂに「視聴希望に競合がある」ことを通知し、この双方での合意によって送信する放送番組を決定することも可能である。
【００３１】
（６）視聴希望調停部２２による調停結果が映像表示装置１０に通知される（ステップＳ１６）。この通知結果は、制御情報としてチューナ２０から送信され、チューナインタフェース１０１ａ，１０１ｂにより受信される。
この通知により映像表示装置１０は視聴希望が叶えられたか否かを知ることができる。
【００３２】
（７）視聴希望調停部２２による調停の結果に基づいて映像情報送信部２４が映像情報を送信する（ステップＳ１７）。
視聴希望が叶えられた映像表示装置１０は、希望する放送番組の映像情報をチューナインタフェース１０１で受信し、ＶＧＡインタフェース１０９を経由し表示装置１１０で表示する。
【００３３】
（８）視聴希望が叶えられなかった映像表示装置１０は、ハードディスク１０４内（もしくはインターネット上に）に存在する類似番組検索テーブルＴ０を参照し、類似番組のコンテンツが存在するサイトのアドレスを取得する（ステップＳ１８）。
例えば、図２の例で、ユーザーが「２２時のニュース」を視聴したいがチューナ２０を使用できない場合には、「２２時のニュース」の番組詳細テーブルＴ２を参照する。そして、「２２時のニュース」の類似番組「２１時のニュース」からポインタを辿り、番組詳細テーブルＴ３を参照することで、類似番組のインターネットコンテンツのアドレス「ｗｗｗ．ｂ−ｔｖ．ｃｏｍ／２１−ｎｅｗｓ」を取得する。
【００３４】
（９）視聴希望が叶えられなかった映像表示装置１０は、類似番組検索テーブルＴ０から取得した類似番組のアドレスに基づき、インターネットに接続して自動的にコンテンツのダウンロードおよび表示を行なう。（ステップＳ１９）。
即ち、番組詳細テーブルＴ３中のアドレスを用いてインターネットにアクセスすることで、インターネット接続装置３０およびネットワークインタフェース１０２を経由して、類似番組のコンテンツの映像情報を受け取り、表示装置１１０に表示する。
【００３５】
本システム１は、例えば、以下のように利用することができる。
・有料音楽番組をユーザーが見たいがチューナ２０の数が足らない時、インターネット上よりアーティストのビデオクリップをダウンロードして再生する。
・映画番組を見たい時にチューナ２０の数が足りない時にインターネット上より、配給会社から自動ダウンロードして再生を行なう。
・ニュース番組を見たい時にチューナ２０の数が足りない時にインターネット上のニュース番組配送サイトより自動ダウンロードを行なう。
・チューナが故障した場合に、インターネット上よりコンテンツを取得する。
【００３６】
（第２の実施形態）
第１の実施形態は、放送番組をリアルタイムで視聴する場合であったが、第２の実施形態では放送番組を録画する場合を説明する。
図４は、本発明の第２の実施形態に係る映像表示システム１ａを表すブロック図である。
映像表示システム１ａは、映像表示装置１０ｃ，１０ｄ、チューナ２０ａ、インターネット接続装置３０から構成される。
映像表示装置１０ｃ，１０ｄは、テレビ放送の番組とインターネットのコンテンツの双方の視聴に加えて、テレビ放送の録画予約が可能な装置である。
本実施形態では、映像表示装置１０ｃ，１０ｄからの録画予約が競合する場合に類似番組検索テーブルＴ０を参照し再放送の録画予約を行なう。
【００３７】
チューナインタフェース１０１ｃ、１０１ｄは，チューナ２０ａから送信された映像情報の受信およびチューナ２０ａとの制御信号の送受信を行うインタフェースであり、映像情報を受信する映像情報受信部、第１、第２の録画予約希望情報を送信する第１、第２の録画予約希望情報送信部、および録画予約不能情報を受信する録画予約不能情報受信部として機能する。
ネットワークインタフェース１０２ｃ、１０２ｄは，インターネット接続装置３０を介してインターネットとの情報の送受信を行うインタフェースである。
ハードディスク１０４ｃ、１０４ｄは，外部記憶装置の一種であり、ここでは類似番組検索テーブルＴ０に加えて、録画された番組の映像情報が記憶されている。即ち、ハードディスク１０４ｃ、１０４ｄは、映像情報を録画する録画部として機能する。
入力部１０５ｃ、１０５ｄは、例えば、キーボード、マウス、リモコン等の入力機器であり、録画予約を希望する放送番組を表す録画予約希望情報を入力することができる。
【００３８】
中央演算装置１０７ｃ、１０７ｄは，逐次制御と算術，論理演算を行なう。中央演算装置１０７ｃ、１０７ｄはこれを動作するためのプログラムと組み合わされることで、録画予約希望情報で表される放送番組の再放送時間を取得する再放送時間取得部として機能する。
映像表示装置１０ｃ，１０ｄの他の構成要素は、映像表示装置１０ａ，１０ｂと実質的に相違する訳ではないので説明を省略する。
【００３９】
チューナ２０ａは、無線または有線（ＣＡＴＶ等）のテレビ放送の番組を選択し、選択した番組の映像情報を映像表示装置１０ｃ，１０ｄに送信するものであり、録画予約希望情報受信部２１ａ，録画予約希望調停部２２ａ，調停結果送信部２３ａ，映像情報送信部２４ａを有し、録画予約番組テーブルＴ１０が記憶されている。
【００４０】
録画予約希望情報受信部２１ａは，映像表示装置１０ｃ，１０ｄから制御信号として送信された録画予約希望情報を制御信号として受信する。この情報は録画予約番組テーブルＴ１０に記録される。
録画予約希望調停部２２ａは，録画予約希望情報受信部２１ａが映像表示装置１０ｃ，１０ｄから同一の時間帯に異なる番組の録画予約を希望する旨の録画予約聴希望情報を受信したときに映像表示装置１０ｃ，１０ｄのいずれに録画予約を認めるかの調停を行う。
調停結果送信部２３ａは，録画予約希望調停部２２ａの調停結果を映像表示装置１０ｃ，１０ｄへと制御信号として送信する。映像表示装置１０ｃ，１０ｄは、調停結果送信部２３ａから送信された制御信号によって自己の録画予約希望が叶えられたか否かを知ることができる。
映像情報送信部２４ａは、録画予約番組テーブルＴ１０に基づき、録画予約を希望する放送番組の映像情報を映像表示装置１０ｃ，１０ｄへと送信する。
【００４１】
図５は録画予約番組テーブルＴ１０の一例を表す模式図である。録画予約番組テーブルＴ１０には録画を予約している映像表示装置１０ｃ，１０ｄを識別する装置識別情報たる「映像表示装置」、「予約時間」、録画予約を希望する放送局またはチャンネルが対応して記録される。この録画予約番組テーブルＴ１０によってチューナから２０の映像情報の送信が行われる。
【００４２】
（映像表示システム１ａの動作）
図６は、映像表示システム１ａの動作手順を表すフロー図である。以下、図６に基づき映像表示システム１ａの動作手順を説明する。
（１）映像表示装置１０ｃ，１０ｄにそれぞれのユーザが録画を希望する放送番組を表す録画予約希望情報が入力される（ステップＳ２１）。この入力は、入力部１０５ｃ，１０５ｄにより、それぞれの映像表示装置１０ｃ，１０ｄで独立して行われる。
【００４３】
（２）入力部１０５ｃ，１０５ｄそれぞれで入力された録画予約希望情報がチューナインタフェース１０１ｃ，１０１ｄにより送信され、チューナ２０の録画予約希望情報受信部２１ａで受信される（ステップＳ２２）。この送信も、チューナインタフェース１０１ｃ，１０１ｄから独立して行われる。
【００４４】
（３）映像表示装置１０ｃ，１０ｄそれぞれからの録画予約希望が競合しているか否かが判断される（ステップＳ２３）。
一方の映像表示装置１０ｃ，１０ｄからの録画予約希望情報が受信されたときに、他方の映像表示装置１０ｃ，１０ｄがこの録画予約希望情報で表される放送番組と同一の時刻帯に異なる放送番組の録画予約がなされているときには、視聴希望に競合があると判断される。この判断は録画予約希望情報受信部２１ａで受信された録画予約希望情報に基づき、録画予約番組テーブルＴ１０を参照することで行える。
【００４５】
（４）ステップＳ２３で録画予約希望に競合がないと判断された場合には、録画予約番組テーブルＴ１０が書き換えられ、録画の予約が行われる（ステップＳ２４）。
録画予約番組テーブルＴ１０に基づき、予約時刻にチューナ２０ａの映像情報送信部２４ａから録画予約希望情報で表された番組の映像情報が送信され、映像表示装置１０ｃ，１０ｄのチューナインタフェース１０１ｃ，１０１ｄで受信される。この映像情報は中央演算装置１０７ｃ、１０７ｄで必要に応じてデコードされた後に、ハードディスク１０４ｃ、１０４ｄで録画される。ハードディスク１０４ｃ、１０４ｄに録画された番組はユーザの操作により、表示装置１１０ｃ、１１０ｄで表示できる。
【００４６】
（５）ステップＳ２３で録画予約希望に競合があると判断された場合には、録画予約希望調停部２２ａが録画予約希望の調停を行う（ステップＳ２５）。
この調停には、第１の実施例で示したような種々の手法（先着順方式、優先順位順方式、同意方式、さらにそれらの組み合わせ）があり得る。
【００４７】
（６）録画予約希望調停部２２ａによる調停結果が映像表示装置１０ｃ、１０ｄに通知される（ステップＳ２６）。
この通知により映像表示装置１０ｃ、１０ｄは録画予約希望が叶えられたか否かを知ることができる。
【００４８】
（７）録画予約希望が叶えられなかった映像表示装置１０ｃ、１０ｄは、ハードディスク１０４ｃ、１０４ｄ内（もしくはインターネット上に）に存在する類似番組検索テーブルＴ０を参照し、再放送時間の情報取得する（ステップＳ２７）。
例えば、図２の例で、ユーザーが「映画」を録画予約したいが録画予約の時間帯にチューナ２０ａを使用できない場合は、「映画」の番組詳細テーブルＴ２を参照して、再放送時間の情報を取得する。
【００４９】
（８）録画予約希望が叶えられなかった映像表示装置１０ｃ、１０ｄは、再放送時間の情報をチューナ２０ａに通知し、録画予約番組テーブルＴ１０の書き換えを行なう。（ステップＳ２８）。
書き換えられた録画予約番組テーブルに基づき、番組の録画予約が行われる。
【００５０】
【発明の効果】
以上説明したように、本発明によれば、ユーザが視聴等を希望した放送番組に類似する番組等の映像情報の取得を可能ならしめる映像表示装置を提供する
【図面の簡単な説明】
【図１】本発明の第１の実施形態に係る映像表示システムを表すブロック図である。
【図２】類似番組検索テーブルの一例を表す模式図である。
【図３】本発明の第１の実施形態に係る映像表示システムの動作手順の詳細を表すフロー図である。
【図４】本発明の第２の実施形態に係る映像表示システムを表すブロック図である。
【図５】録画予約番組テーブルの一例を表す模式図である。
【図６】本発明の第２の実施形態に係る映像表示システムの動作手順の詳細を表すフロー図である。
【符号の説明】
１…映像表示システム、  １０…映像表示装置、１０１…チューナインタフェース、１０２…ネットワークインタフェース、１０３…サウスブリッジ、１０４…ハードディスク、１０５…入力部、１０６…ノースブリッジ、１０７…中央演算装置、１０８…メモリ、１０９…ＶＧＡインタフェース、１１０…表示装置、２０…チューナ、  ２１…視聴希望情報受信部、  ２２…視聴希望調停部、  ２３…調停結果送信部、  ２４…映像情報送信部、  ３０…インターネット接続装置
【図１】
2004350099.tif 000003
【図２】
2004350099.tif 000004
【図３】
2004350099.tif 000005
【図４】
2004350099.tif 000006
【図５】
2004350099.tif 000007
【図６】
2004350099.tif 000008